(57)【特許請求の範囲】
【請求項１】
ユニット室を有する箱体と、
前記ユニット室内に取出し可能に収納された単位ユニットと、
前記単位ユニットの下段に位置する下段単位ユニットと、
前記単位ユニットおよび下段単位ユニットの前面を開閉可能に装着されるユニット扉と、
前記箱体に取付けられた取付け状態および前記箱体から取外された取外し状態間で操作可能なテーブルと、
前記取付け状態で、前記箱体と前記テーブルの前隅部とを連結し前記テーブルを係合可能なチェーンと、を備え、
前記ユニット扉は、前記ユニット扉の貫通孔を構成する窓と、前記ユニット扉の外周部を取り囲む扉囲いと、を備え、
閉鎖状態の前記下段単位ユニットのユニット扉の扉囲いは、前記取付け状態で前記テーブルの端部を載置可能であり、
前記テーブルは、前記取付け状態で、前記窓に挿入されることに応じて前記ユニット扉に係合可能なテーブルフックを備え、
前記テーブルは、前記取付け状態で、前記テーブルフックが係合する前記ユニット扉と、前記下段単位ユニットのユニット扉の扉囲いと、前記箱体に連結する前記チェーンと、により支持され、前記ユニット室内から取出された単位ユニットが載置可能に前記箱体から突出することを特徴とするコントロールセンタ。
【発明の詳細な説明】
【技術分野】
【０００１】
実施例はコントロールセンタに関する。
【背景技術】
【０００２】
コントロールセンタには箱体を備えたものがある。この箱体はユニット室が形成されたものであり、ユニット室内には単位ユニットが取出し可能に収納されている。この単位ユニットは負荷を電源母線に接続するものであり、負荷を電気的な異常から保護するための電気部品を有している。
【先行技術文献】
【特許文献】
【０００３】
【特許文献１】特開平１０−２１０６１２号公報
【発明の概要】
【発明が解決しようとする課題】
【０００４】
従来のコントロールセンタの場合には単位ユニットをユニット室内から取出した後に床面に置いて保守または点検する必要があり、単位ユニットを保守または点検する場合の作業性が悪かった。
【課題を解決するための手段】
【０００５】
請求項１に記載のコントロールセンタは、ユニット室を有する箱体と、前記ユニット室内に取出し可能に収納された単位ユニットと、前記単位ユニットの下段に位置する下段単位ユニットと、前記単位ユニットおよび下段単位ユニットの前面を開閉可能に装着されるユニット扉と、前記箱体に取付けられた取付け状態および前記箱体から取外された取外し状態間で操作可能なテーブルと、前記取付け状態で、前記箱体と前記テーブルの前隅部とを連結し前記テーブルを係合可能なチェーンと、を備え、前記ユニット扉は、前記ユニット扉の貫通孔を構成する窓と、前記ユニット扉の外周部を取り囲む扉囲いと、を備え、閉鎖状態の前記下段単位ユニットのユニット扉の扉囲いは、前記取付け状態で前記テーブルの端部を載置可能であり、前記テーブルは、前記取付け状態で、前記窓に挿入されることに応じて前記ユニット扉に係合可能なテーブルフックを備え、前記テーブルは前記取付け状態で、前記テーブルフックが係合する前記ユニット扉と、前記下段単位ユニットのユニット扉の扉囲いと、前記箱体に連結する前記チェーンと、により支持され、前記ユニット室内から取出された単位ユニットが載置可能に前記箱体から突出するところに特徴を有する。
【図面の簡単な説明】
【０００７】
【図１】実施例１を示す図（コントロールセンタの外観を示す図）
【図２】ユニット室を開放状態で示す図
【図３】単位ユニットを示す図
【図４】（ａ）は点検台テーブルを取付け状態で示す図、（ｂ）はＸｂ線に沿う断面図、（ｃ）はＸｃ部を拡大して示す図
【図５】実施例２を示す図（ａは点検台テーブルを引出し状態で示す図、ｂはＸｂ線に沿う断面図）
【図６】実施例３を示す図（点検台テーブルを開放状態で示す図）
【発明を実施するための形態】
【実施例１】
【０００８】
図１の箱体１は前面が開口するものであり、底板と天板と後板と左側板と右側板を有している。この箱体１の前端部には上前板２および下前板３が固定されている。これら上前板２および下前板３のそれぞれは横長なものであり、上前板２は箱体１の上端部に配置され、下前板３は箱体１の下端部に配置されている。この箱体１の前端部には右カバー４および下カバー５が装着されている。これら右カバー４および下カバー５のそれぞれは箱体１に対して着脱可能にされたものであり、右カバー４は箱体１の右端部に配置され、下カバー５は下前板３の上側に配置されている。
【０００９】
箱体１内には、図１に示すように、複数の棚板６が固定されている。これら複数の棚板６のそれぞれは水平な四角板状をなすものであり、前から見て右カバー４の左側に配置されている。これら複数の棚板６のそれぞれは棚板囲い７を有するものであり、図２に示すように、複数の棚板囲い７のそれぞれには係合孔８が形成されている。これら複数の棚板囲い７のそれぞれは、図１に示すように、棚板６から下へ突出するものであり、棚板６の外周部を取り囲む四角筒状をなしている。
【００１０】
箱体１内には、図２に示すように、複数のユニット室９が形成されている。これら複数のユニット室９のそれぞれは上下方向に対向する２枚の棚板６間の空間部を称するものであり、前面および右側面が開口している。これら複数のユニット室９内のそれぞれには単位ユニット１０が収納されている。これら複数の単位ユニット１０のそれぞれはユニット室９内に収納された接続状態で電動機等の負荷を電源母線に接続し、ユニット室９内から取出された遮断状態で負荷を電源母線から遮断するものである。これら複数の単位ユニット１０のそれぞれは接続状態で電源母線から負荷に駆動電源を供給するものであり、負荷を保護するための保護機能を備えている。
【００１１】
複数の単位ユニット１０のそれぞれは、図３に示すように、フレーム１１を有している。これら複数のフレーム１１のそれぞれは横長な直方体状をなすものであり、底面が底板１２で塞がれ、後面が後板１３で塞がれている。これら複数のフレーム１１のそれぞれは前面と上面と左側面と右側面が開口するものであり、複数のフレーム１１のそれぞれには配線用遮断器１４と電磁接触器１５と断路器１６と制御回路１７が固定されている。
【００１２】
箱体１には、図１に示すように、複数のユニット扉１８が装着されている。これら複数のユニット扉１８のそれぞれは横長な長方形状の金属板からなるものであり、図２に示すように、２つのヒンジ金具１９を介して箱体１の左側板に連結されている。これら複数のユニット扉１８毎の２つのヒンジ金具１９のそれぞれは垂直な軸を有するものであり、複数のユニット扉１８のそれぞれは２つのヒンジ金具１９の軸を中心に閉鎖状態および開放状態間で回転可能にされている。
【００１３】
図１はユニット扉１８を閉鎖状態で示すものである。これら複数のユニット扉１８のそれぞれは閉鎖状態でユニット室９の前面を閉鎖するものであり、複数の単位ユニット１０のそれぞれはユニット扉１８の閉鎖状態で接続状態から遮断状態および遮断状態から接続状態へ操作不能となる。図２はユニット扉１８を開放状態で示すものであり、複数のユニット扉１８のそれぞれは閉鎖状態から手前へ回転操作されることに応じて開放状態となる。これら複数のユニット扉１８のそれぞれは開放状態でユニット室９の前面を開放するものであり、複数の単位ユニット１０のそれぞれはユニット扉１８の開放状態で接続状態から遮断状態および遮断状態から接続状態へ操作可能となる。
【００１４】
複数のユニット扉１８のそれぞれは、図２に示すように、扉囲い２１を有している。これら複数の扉囲い２１のそれぞれはユニット扉１８の閉鎖状態でユニット扉１８から後へ突出するものであり、ユニット扉１８の外周部を取り囲む四角筒状をなしている。これら複数の扉囲い２１のそれぞれはユニット扉１８の閉鎖状態で上段の棚板６の棚板囲い７および下段の棚板囲い７に前から接触する。
【００１５】
複数のユニット扉１８のそれぞれには、図２に示すように、貫通孔状の窓２２が形成されており、複数の配線用遮断器１４のそれぞれの摘み２３は、図１に示すように、ユニット扉１８の閉鎖状態で窓２２を通してユニット室９の外部に操作可能に突出する。これら複数のユニット扉１８のそれぞれには、図２に示すように、貫通孔状の窓２４が形成されており、複数の制御回路１７のそれぞれの表示器２５は、図１に示すように、ユニット扉１８の閉鎖状態で窓２４を通してユニット室７の外部に視認可能に露出する。
【００１６】
図４の点検台テーブル２６はコントロールセンタに付属されたものである。この点検台テーブル２６は金属板からなるものであり、横長な長方形状をなしている。この点検台テーブル２６は左右方向の幅寸法Ｗ１が単位ユニット１０の同寸法に比べて大きく設定され、前後方向の幅寸法Ｗ２が単位ユニット１０の同寸法に比べて大きく設定されたものであり、単位ユニット１０が取出し状態で載置可能にされている。この点検台テーブル２６はテーブルに相当する。
【００１７】
点検台テーブル２６は、図４に示すように、テーブル囲い２７を有している。このテーブル囲い２７は点検台テーブル２６から下へ突出するものであり、点検台テーブル２６の外周部を取り囲む四角筒状をなしている。このテーブル囲い２７の後端部は閉鎖状態にある下段のユニット扉１８の扉囲い２１の上に載せられるものであり、点検台テーブル２６は後端部が閉鎖状態のユニット扉１８によって支持される。
【００１８】
点検台テーブル２６には、図４に示すように、テーブルフック２８が形成されている。このテーブルフック２８は点検台テーブル２６の左側面から上へ突出する右垂直部と右垂直部の上端から左へ突出する水平部と水平部の左端面から下へ突出する左垂直部を有するコ字状をなすものであり、ユニット扉１８の開放状態で窓２４内に挿入されることに応じてユニット扉１８に係合する。
【００１９】
点検台テーブル２６の右前隅部には、図４に示すように、チェーン２９の前端部が着脱不能に連結されている。このチェーン２９は金属を材料とするものであり、チェーン２９の後端部には金属製のチェーンフック３０が着脱不能に連結されている。このチェーンフック３０は上段の棚板６の係合孔８内に着脱可能に挿入される丸形状をなすものであり、上段の棚板６の係合孔８内に挿入されることに応じて上段の棚板６の棚板囲い７に係合する。
【００２０】
下記［１］〜［５］は単位ユニット１０を保守または点検する場合の手順であり、下記［１］〜［５］の作業がユニット室９毎に行われることに応じて全ての単位ユニット１０が個別に保守または点検される。
［１］１つのユニット扉１８を閉鎖状態から開放状態に操作する（図４参照）。この作業は下段のユニット扉１８の閉鎖状態で行われるものであり、１つのユニット扉１８の開放状態では１つのユニット扉１８に対応する１つのユニット室９の前面が開放される。
［２］点検台テーブル２６のテーブルフック２８を１つのユニット扉１８の窓２４内に挿入する。これと共にテーブル囲い２７の後端部を下段のユニット扉１８の扉囲い２１の上に載せ、チェーンフック３０を上段の棚板６の係合孔８内に挿入する。この状態では点検台テーブル２６が３箇所で箱体１側に支持されることに応じて箱体１に取付けられた取付け状態となる。この点検台テーブル２６は取付け状態で箱体１の前面から前へ突出するものであり、１つのユニット室９の棚板６の延長上に水平にセットされる。
［３］１つのユニット室９内から単位ユニット１０を引出すことで接続状態から遮断状態とする。そして、１つの単位ユニット１０を点検台テーブル２６の上に載せ、１つの単位ユニット１０を点検台テーブル２６の上で保守または点検する。
［４］１つの単位ユニット１０を点検台テーブル２６の上から１つのユニット室９内に収納することで遮断状態から接続状態に戻す。そして、チェーンフック３０を棚板６の係合孔８内から抜取り、テーブルフック２８をユニット扉１８の窓２４内から抜取り、点検台テーブル２６を箱体１から取外された取外し状態とする。
［５］１つのユニット扉１８を開放状態から閉鎖状態に操作し、１つのユニット室９の前面を閉鎖する。
【００２１】
上記実施例１によれば次の効果を奏する。
単位ユニット１０が載置可能な大きさの点検台テーブル２６をコントロールセンタに付属し、点検台テーブル２６を箱体１に取付け可能とした。このため、作業者が箱体１に点検台テーブル２６を取付け、単位ユニット１０を点検台テーブル２６の上に載せて保守または点検することが可能となる。従って、単位ユニット１０を床面に置いて保守または点検する必要がなくなるので、単位ユニット１０を保守または点検する場合の作業性が向上する。
【００２２】
点検台テーブル２６を左側部と右側部と後部の３箇所で箱体１に取付けたので、点検台テーブル２６の姿勢が水平状態で安定する。従って、単位ユニット１０を点検台テーブル２６上で保守または点検する場合に点検台テーブル２６ががたつくことが抑えられるので、単位ユニット１０を保守または点検する場合の作業性が一層向上する。
【００２３】
複数のユニット室９毎に点検台テーブル２６を着脱可能に設けた。従って、複数の単位ユニット１０のそれぞれを最小限の引出し量で点検台テーブル２６の上に載せることが可能となるので、単位ユニット１０を保守または点検する場合の作業性が一層向上する。
【００２４】
上記実施例１においては、点検台テーブル２６を１つのユニット室９の前方に取付けたままの状態で複数の単位ユニット１０を点検台テーブル２６の上に順に載せて保守または点検しても良い。
【００２５】
上記実施例１においては、複数の棚板６のいずれか１つに係合孔８を設け、点検台テーブル２６を１つのユニット室９の前方のみに対して着脱する構成としても良い。
上記実施例１においては、チェーン３０に換えて金属製のワイヤを用いても良く、要は点検台テーブル２６を棚板６に連結するための連結部材であれば良い。
【実施例２】
【００２６】
複数のユニット室９のうち最下段の１つには、図５に示すように、単位ユニット１０が収納されておらず、最下段のユニット室９は空室とされている。この最下段のユニット室９内には２本の伸縮レール４１が装着されている。これら両伸縮レール４１は左右方向に相互に離間するものであり、相互に平行に配置されている。
【００２７】
両伸縮レール４１のそれぞれは、図５に示すように、固定レール４２および可動レール４３を有している。両固定レール４２のそれぞれは最下段のユニット室９の棚板６に固定されたものであり、前後方向へ延びる四角柱状をなしている。両可動レール４３のそれぞれは断面コ字状をなすものである。これら両可動レール４３のそれぞれは固定レール４２の表面に嵌合されたものであり、固定レール４２に重なる収納位置および収納位置に比べて前の引出し位置間で固定レール４２の表面に沿って前後方向へ移動可能にされている。
【００２８】
２本の可動レール４３には、図５に示すように、点検台テーブル２６が固定されている。この点検台テーブル２６は両可動レール４３の収納位置で最下段のユニット室９内に完全に収納された収納状態となり（二点鎖線参照）、最下段のユニット扉１８の開放状態で手前へ操作されることに応じて収納状態から引出し状態となる（実線参照）。この点検台テーブル２６は引出し状態で箱体１の前面から前へ突出するものであり、最下段のユニット室９内から前へ完全に引出される。この点検台テーブル２６の引出し状態は有効状態に相当し、点検台テーブル２６の収納状態は無効状態に相当する。
【００２９】
下記［１］〜［７］は単位ユニット１０を保守または点検する場合の手順である。
［１］最下段のユニット扉１８を閉鎖状態から開放状態に操作する。
［２］点検台テーブル２６を収納状態から手前へ引くことで引出し状態とする。
［３］別のユニット扉１８を閉鎖状態から開放状態に操作することで別のユニット室９の前面を開放し、別のユニット室９内から１つの単位ユニット１０を引出す。
［４］１つの単位ユニット１０を点検台テーブル２６の上に載せ、点検台テーブル２６の上で保守または点検する。
［５］１つの単位ユニット１０を点検台テーブル２６の上から別のユニット室９内に戻し、別のユニット扉１８を開放状態から閉鎖状態に戻す。
［６］単位ユニット１０毎に［３］〜［５］の作業を行うことで全ての単位ユニット１０を保守または点検する。
［７］点検台テーブル２６を引出し状態から後へ押すことで収納状態に戻し、最下段のユニット扉１８を開放状態から閉鎖状態に戻す。
【００３０】
上記実施例２によれば次の効果を奏する。
点検台テーブル２６を箱体１に収納状態および引出し状態間で操作可能に設けたので、点検台テーブル２６を収納状態から引出し状態に操作した後に単位ユニット１０を点検台テーブル２６の上に載せて保守または点検することが可能となる。従って、単位ユニット１０を床面に置いて保守または点検する必要がなくなるので、単位ユニット１０を保守または点検する場合の作業性が向上する。
【００３１】
点検台テーブル２６を箱体１内に収納したので、点検台テーブル２６の保管場所を別途用意する必要がなくなる。しかも、点検台テーブル２６を空のユニット室９内に収納したので、空のユニット室９を点検台テーブル２６の保管場所として有効に利用することが可能となる。
【実施例３】
【００３２】
箱体１には、図６に示すように、四角板状の点検台テーブル５１が装着されている。この点検台テーブル５１は最下段の棚板６に２つのヒンジ金具５２を介して連結されたものであり、最下段の棚板６の上側の最下段のユニット室９は空室とされている。これら両ヒンジ金具５２のそれぞれは水平な軸を有するものであり、点検台テーブル５１は両ヒンジ金具５２の軸を中心に垂直な閉鎖状態および水平な開放状態間で回転可能にされている。この点検台テーブル５１はテーブルに相当し、点検台テーブル５１の開放状態は有効状態に相当し、点検台テーブル５１の閉鎖状態は無効状態に相当する。
【００３３】
点検台テーブル５１は、図６に示すように、テーブル囲い５４を有している。このテーブル囲い５４は点検台テーブル５１の閉鎖状態で点検台テーブル５１から後へ突出するものであり、点検台テーブル５１の外周部を取り囲む四角筒状をなしている。このテーブル囲い５４は点検台テーブル５１の閉鎖状態で下から２段目の棚板６の棚板囲い７および下から１段目の棚板６の棚板囲い７に前から接触するものであり、点検台テーブル５１は閉鎖状態で最下段のユニット室９の前面を閉鎖する。
【００３４】
点検台テーブル５１には、図６に示すように、チェーン５５の前端部が連結されている。このチェーン５５の後端部は下から２段目の棚板６の棚板囲い７に連結されており、チェーン５５は点検台テーブル５１の閉鎖状態で最下段のユニット室９内に弛緩状態で収納される。このチェーン５５は点検台テーブル５１が閉鎖状態から前へ回転操作されることに応じて弛緩状態から緊張状態へ移行するものであり、点検台テーブル５１はチェーン５５が緊張状態となることに応じて開放状態に静止し、開放状態で箱体１の前面から前へ水平に突出する。
【００３５】
下記［１］〜［６］は単位ユニット１０を保守または点検する場合の手順である。
［１］点検台テーブル５１を閉鎖状態から手前へ操作することで開放状態とする。
［２］１つのユニット扉１８を閉鎖状態から開放状態に操作することで１つのユニット室９の前面を開放し、１つのユニット室９内から１つの単位ユニット１０を引出す。
［３］１つの単位ユニット１０を点検台テーブル５１の上に載せ、点検テーブル５１の上で保守または点検する。
［４］１つの単位ユニット１０を点検台テーブル５１の上から１つのユニット室９内に戻し、１つのユニット扉１８を開放状態から閉鎖状態に戻す。
［５］単位ユニット１０毎に［２］〜［４］の作業を行うことで全ての単位ユニット１０を保守または点検する。
［６］点検台テーブル５１を開放状態から後へ操作することで閉鎖状態に戻す。
【００３６】
上記実施例３によれば次の効果を奏する。
点検台テーブル５１を箱体１に閉鎖状態および開放状態間で操作可能に設けたので、点検台テーブル５１を閉鎖状態から開放状態に操作した後に単位ユニット１０を点検台テーブル５１の上に載せて保守または点検することが可能となる。従って、単位ユニット１０を床面に置いて保守または点検する必要がなくなるので、単位ユニット１０を保守または点検する場合の作業性が向上する。
【００３７】
点検台テーブル５１を箱体１に取付けたので、点検台テーブル５１の保管場所を別途用意する必要がなくなる。しかも、点検台テーブル５１を回転操作することで空のユニット室９の前面を開閉したので、空のユニット室９の扉を単位ユニット１０用の点検台テーブル５１として有効に利用することが可能となる。
【００３８】
上記実施例３においては、チェーン５５に換えて布製またはゴム製の紐を用いても良く、要は「点検台テーブル５１の閉鎖状態で弛緩状態になると共に点検台テーブル５１の開放状態で緊張状態になることが可能な部材」または「点検台テーブル５１の閉鎖状態で縮小状態になると共に点検台テーブル５１の開放状態で伸長状態になることが可能な部材」であれば良い。
【００３９】
上記実施例３においては、単位ユニット１０が収納された利用中のユニット室９の前面を点検台テーブル５１で開閉しても良い。
上記実施例３においては、点検台テーブル５１を収納状態および引出し状態間で回転可能に設けても良い。この点検台テーブル５１の引出し状態はユニット室９内から水平に前へ突出する状態であり、単位ユニット１０は点検台テーブル５１の引出し状態で保守または点検される。この点検台テーブル５１の収納状態は引出し状態に対して１８０°回転した状態であり、点検台テーブル５１は収納状態でユニット室９内に収納される。
【００４０】
以上、本発明の実施例を説明したが、この実施例は例として提示したものであり、発明の範囲を限定することは意図していない。これら新規な実施例は、その他の様々な形態で実施されることが可能であり、発明の要旨を逸脱しない範囲で、種々の省略、置き換え、変更を行うことができる。これら実施例やその変形は発明の範囲や要旨に含まれると共に特許請求の範囲に記載された発明とその均等の範囲に含まれる。
【符号の説明】
【００４１】
１は箱体、９はユニット室（室）、１０は単位ユニット、２６は点検台テーブル（テーブル）、５１は点検台テーブル（テーブル）である。
【図１】
0006538463.tif 000002
【図２】
0006538463.tif 000003
【図３】
0006538463.tif 000004
【図４】
0006538463.tif 000005
【図５】
0006538463.tif 000006
【図６】
0006538463.tif 000007